(57)【要約】【課題】建物の外壁から屋外側に突き出す突出板部を備えた回り段板における突出板部を受け入れる張出部を建物の外壁部から屋外側に張り出し状態に設けて回り階段の一部を構成させて建物内空間の有効活用を計る。【解決手段】回り段板部Ｂａで反転されて上階Ａａと下階Ａｂとの間の行き来に用いられる回り階段Ｂを備えた建物Ａであって、この回り段板部Ｂａに備えられる回り段板Ｂａ’が当該建物Ａの基礎上に備えられている外壁部Ｃａ’から屋外側に突き出される突出板部Ｂａ”を備えており、この回り段板Ｂａ’の突出板部Ｂａ”を受け入れ、かつ、この受け入れられた突出板部Ｂａ”上に当該回り段板Ｂａ’を上り下りし得る動作空間Ｅａを備えた張出部Ｅを前記外壁部Ｃａ’から屋外側に張り出すように設ける。【選択図】図１
2007182676.tif 000002
【特許請求の範囲】
【請求項１】
回り段板部で反転されて上階と下階との間の行き来に用いられる回り階段を備えた建物であって、
この回り段板部に備えられる回り段板が当該建物の基礎上に備えられている外壁部から屋外側に突き出される突出板部を備えており、
この回り段板の突出板部を受け入れ、かつ、この受け入れられた突出板部上に当該回り段板を上り下りし得る動作空間を備えた張出部を前記外壁部から屋外側に張り出すように設けてあることを特徴とする建物。
【請求項２】
前記張出部が、建物の基礎上に備えられている外壁部から屋外側に張り出すように備えられる張出フレーム体を備えていることを特徴とする請求項１に記載の建物。
【請求項３】
前記張出部が窓を備えていることを特徴とする請求項１又は請求項２に記載の建物。
【発明の詳細な説明】
【技術分野】
【０００１】
この発明は、回り階段を備える建物の提供、より具体的には、建物の外壁部に屋外側に張り出し状態に設けられる張出部に回り階段における回り段板の突出板部を受け入れ、かつ、この受け入れられた突出板部上に回り階段の上り下り動作に都合の良い動作空間を設けることによって、下階と上階とを連絡する階段を建物内空間に効率良く設け得るようにした建物の提供に関する。
【背景技術】
【０００２】
下階と上階とを連絡する階段は、建物の構造や使用形態等によって安全に、しかも、都合よく上り下りができる形態をなすものが選択、備え付けられていた。  
【０００３】
しかしながら、安全で、しかも、使い勝手のよい階段を、下階と上階との連絡手段として備え付けるには、多くの備え付けスペースを必要とし、建物内空間において階段設置空間の占める割合が比較的多く、建物内における居室空間使用率等を相対的に引き下げる不具合があった。
【０００４】
かかる点から、特許文献１では、共同住宅用に複数階に形成されかつ一側壁に階段設置用の凹部空間を有する木質の建物本体と、前記建物本体の凹部空間に設置される鉄製の階段部とを備える建物構造であって、前記階段部は、一階部において前記凹部空間の奥側から外側上方へ傾斜して入口部を建物外壁ラインと一致させると共に、中二階の踊場より上方の部分において建物外壁ラインより外方に突出させた建物構造が開示されている。
【特許文献１】特開平５−３０２４１７
【発明の開示】
【発明が解決しようとする課題】
【０００５】
しかしながら、かかる建物構造にあっては、階段部を備えるために建物本体に当該階段部の設置される凹部空間を必要とし、また、この建物に備えられている凹部空間の奥側から一階の階段に対する上り下りがなし得るようにしてあることから、一般的な建物、特に、小規模の建物、例えば、多くの戸建て木造住宅等にあっては、階段の設置コストが割高となり、また、一階の階段に到る通路空間が活用し難いスペースとなる不具合を避けることができなかった。
【０００６】
この発明は、かかる建物構造における不具合を解消し、下階と上階との間を円滑にかつ安全に行き来きのできる回り階段を極力少ない設置空間内に備えて構成し得る建物の提供を目的としている。
【課題を解決するための手段】
【０００７】
この発明は、前記課題を解決するために、回り段板部で反転されて上階と下階との間の行き来に用いられる回り階段を備えた建物であって、
この回り段板部に備えられる回り段板が当該建物の基礎上に備えられている外壁部から屋外側に突き出される突出板部を備えており、
この回り段板の突出板部を受け入れ、かつ、この受け入れられた突出板部上に当該回り段板を上り下りし得る動作空間を備えた張出部を前記外壁部から屋外側に張り出すように設けてあることを特徴とする建物としてある。
【０００８】
このように構成される建物にあっては、使い勝手が良く、しかも、安全に上り下りに用い得る回り階段を備えた建物を狭い敷地内に効果的に建築することができる。
【０００９】
また、このように構成される建物にあっては、基礎上にある建物の外壁部から屋外側に張り出し状態に備えられる張出部が回り段板の突出板部を受け入れ、かつ、この受け入れられた突出板部上に当該回り段板を上り下りし得る動作空間を備えた構成としてあることから、回り階段の上り下りに際して、容易に、かつ、円滑に動作方向の変換をなし得る特長を有している。
【００１０】
また、このように構成される建物にあっては、回り段板の突出板部を受け入れ、かつ、この受け入れられた突出板部上に当該回り段板を上り下りし得る動作空間を備えた張出部を建物の外壁部から張り出し状態に設けているにも拘わらず、建物基礎を直線的に設けることができ、当該回り階段の設置に伴う基礎まわりにおける給排水工事等の各種工事の施工に不具合をもたらすことがない。
【００１１】
また、かかる構成からなる建物では、外壁面に平面視で弧状等に張り出す張出部が備えられ、通例、平面的に構成される壁面における建物外観の意匠性を高めることができる。
【００１２】
また、前記張出部が、建物の基礎上に備えられている外壁部から屋外側に張り出すように備えられる張出フレーム体を備えた構成の建物にあっては、前記特長に併せて、この基礎上に備えられている外壁部から外方に向けて張り出し設けられる張出部を容易に構成し得る特長を有している。
【００１３】
また、前記張出部に窓を備えた構成の建物にあっては、明るさの要請される回り段板部に効果的に外からの光を取り入れることができると共に、当該張出部において都合良く換気し得る特長を有している。
【発明の効果】
【００１４】
この発明に係る建物は、回り段板の突出板部を受け入れ、かつ、この受け入れられた回り段板上に当該回り段板を上り下りし得る動作空間を備えた張出部を当該建物の基礎上に備えられている外壁部から屋外側に張り出すように設けることによって、建物の屋内空間に占める階段の設置空間を極力小さいものとし、建物内空間において居室等実質的に用い得る空間を極力大きくして快適な居住性を確保することができる。
【発明を実施するための最良の形態】
【００１５】
以下、この発明を実施するための最良の形態に係る建物Ａについて説明する。
【００１６】
なお、ここで図１〜図３は当該発明を実施するための最良の形態に係る典型的な建物Ａの要部を示しており、図１では、当該建物Ａの要部を水平向きで断面して上方から見た状態を、図２では、この図１におけるＹ−Ｙ線矢視の向きで当該建物Ａの要部を縦向きに断面して側方から見て、また、図３では、建物Ａの外壁部Ｃａ’から屋外側に張り出し状態に設けられる張出部Ｅの構成手段としての張出フレーム体Ｆを斜め上方から見て示している。
【００１７】
当該発明を実施するための最良の形態に係る建物Ａは、回り段板部Ｂａで反転されて上階Ａａと下階Ａｂとの間の行き来に用いられる回り階段Ｂを備えた建物Ａであって、この回り段板部Ｂａに備えられる回り段板Ｂａ’が当該建物Ａの基礎上に備えられている外壁部Ｃａ’から屋外側に突き出される突出板部Ｂａ”を備えており、この回り段板Ｂａ’の突出板部Ｂａ”を受け入れ、かつ、この受け入れられた突出板部Ｂａ”上に当該回り段板Ｂａ’を上り下りし得る動作空間Ｅａを備えた張出部Ｅを前記外壁部Ｃａ’から屋外側に張り出すように設けた構成としてある。
【００１８】
この発明に係る建物Ａは、前記構成に係る回り階段Ｂを備え得る上階Ａａと下階Ａｂとを備える建物であれば、いかなる建物であってもよく、いわゆる木造の戸建て住宅や、集合住宅等の住宅と共に各種の施設等の住宅以外の建物としても構成することができる。
【００１９】
また、ここで建物Ａに備えられる回り階段Ｂは、当該建物Ａにおける上階Ａａと下階Ａｂ間を行き来し得る構成としてあり、この回り階段Ｂにおける反転部をなす回り段板部Ｂａの回り段板Ｂａ’が、当該回り階段Ｂを備える建物Ａの基礎上に垂直に備えられている外壁部Ｃａ’から屋外側に突き出す突出板部Ｂａ”を備えており、また、この回り段板Ｂａ’における前記突出板部Ｂａ”を受け入れると共に、この受け入れられた突出板部Ｂａ”の上方に、当該回り段板Ｂａ’を上り下りし得る動作空間Ｅａを備えた張出部Ｅを前記外壁部Ｃａ’から屋外側に張り出すように設けた構成としてあれば、いかなる形態の回り階段として備えてあってもよい。
【００２０】
かかる建物Ａに備えられる回り階段Ｂは、例えば、外壁Ｃａ側に備えられている回り段板部Ｂａに向けて当該外壁Ｃａの面に直交する向きに回り階段Ｂの下側及び上側の直進用階段部Ｂｂが備えられており、この上り下りの直進用階段部Ｂｂの反転部における回り段板Ｂａ’の突出板部Ｂａ”、すなわち、当該建物Ａの外壁部Ｃａ’から屋外側に突き出される突出板部Ｂａ”を受け入れ構成される張出部Ｅの中心が当該下側と上側の直進用階段部Ｂｂの中心線上にあるように構成することができる。より具体的には、この外壁Ｃａの面に直交する向きに備えられている上側と下側の各直進用階段部Ｂｂの反転位置における反転内側にある親柱１４を中心として、回り段板部Ｂａの各回り段板Ｂａ’の突出板部Ｂａ”を受け入れ構成される張出部Ｅを当該親柱１４から等距離をなすように、基礎上に垂直に備えられている外壁部Ｃａ’から屋外側に向けて張り出し状態に設け、この外壁部Ｃａ’と当該張出部Ｅとの間に突出板部Ｂａ”を備えた回り段板Ｂａ’を上り下りし得る動作空間Ｅａを設けた構成とすることができる。
【００２１】
かかる張出部Ｅは、当該回り階段Ｂにおける回り段板部Ｂａで、建物Ａの基礎上に垂直に備えられている外壁部Ｃａ’から屋外側に突き出されている突出板部Ｂａ”を当該張出部Ｅの下部側に受け入れて、この受け入れた回り段板Ｂａ’の突出板部Ｂａ”上に、当該回り段板Ｂａ’を都合良く方向を変更しながら上がり下りし得る動作空間Ｅａを備えた構成としてあれば、いかなる形態に構成してあってもよく、回り階段Ｂを構成する回り段板部Ｂａの踏み面が当該回り段板部Ｂａにおいて都合良く方向変更をしながら上がり下りに用い得る踏み面を備え、しかも、当該張出部Ｅの内側に構成される動作空間Ｅａが当該回り段板部Ｂａにおいて都合良く方向変更をしながら上り下り動作をなし得る空間高さを備えたものとして構成してあれば、当該回り段板部Ｂａのなす踏み面の形状や、この踏み面から上方に備えられる動作空間Ｅａを構成する張出部Ｅがいかなる構成としてあってもよい。
【００２２】
かかる張出部Ｅは、回り段板Ｂａ’の突出板部Ｂａ”、すなわち、当該回り段板Ｂａ’の外壁部Ｃａ’から屋外側に突き出されている突出板部Ｂａ”を受け入て、この受け入れられた突出板部Ｂａ”上に当該回り段板Ｂａ’を上り下りし得る動作空間Ｅａを備える構成としてあれば、例えば、外壁部Ｃａ’に対して当該外壁部Ｃａ’から屋外側に周壁部Ｅｂを張り出し状態に連続して設け、この周壁部Ｅｂと外壁部Ｃａ’とで構成される上部開口を上部材で、また、周壁部Ｅｂと外壁部Ｃａ’とで構成される下部開口を下部材によって塞いだ態様に構成することができる。また、ここで張出部Ｅに備えられる動作空間Ｅａは、この張出部Ｅに受け入れた突出板部Ｂａ”の上方に、この回り段板Ｂａ’を安全に且つ無理なく上り下りするのに十分な高さを備えた空間として構成用意される。また、この回り段板部Ｂａを構成する回り段板Ｂａ’は、この張出部Ｅに受け入れられている突出板部Ｂａ”を含めて回り階段Ｂを安全に且つ無理なく上り下りするのに十分な横幅を備えたものとして構成用意される。
【００２３】
かかる張出部Ｅは、その内側の下部側に回り段板Ｂａ’における突出板部Ｂａ”を受け入れ組み付け得る構成としてあり、この備え付けられる各回り段板Ｂａ’における踏み面から当該張出部Ｅの動作空間Ｅａの上面との間が、当該回り段板Ｂａ’を用いた上り下りに際して余裕をもって動作し得る高さを備えたものとして構成してある。例えば、施工の都合から、基礎上に垂直に備えられている外壁部Ｃａ’から平面視で四角形をなすように、いわゆる扁平な箱状に突き出し設けてあっても、
また、この回り段板部Ｂａにおける各回り段板Ｂａ’を、下側と上側の各直進用階段部Ｂｂの反転位置での反転内側の中心を頂点とする複数枚の三角形状の回り段板によって構成し、この反転内側の中心を中心とする弧に沿って多角形状とされた周壁部Ｅｂの下部側と上部側に生ずる外壁部Ｃａ’との間の各隙間をそれぞれ塞いだ態様に構成してあっても、
また、同様に前記三角形状の回り段板に替えて複数枚の扇形の回り段板を用いることによって前記上側と下側の各直進用階段部Ｂｂの反転部の中心を中心として回り段板Ｂａ’の突出板部Ｂａ”を受け入れる弧状の張出周壁部Ｅｂとし、この弧状をなす周壁部Ｅｂの下部側及び上部側と外壁部Ｃａ’との間を適宜下部材、上部材等で塞いだ態様に構成してあってもよい。
【００２４】
また、かかる張出部Ｅは、当該張出部Ｅを構成する周壁部Ｅｂを窓なしの態様に構成してあっても、また、当該周壁部Ｅｂを、明かり取り窓、腰高窓、掃き出し窓等の他の機能を備えた態様の構成としてあってもよい。また、この張出部Ｅは建物基礎上に備えられている外壁部Ｃａ’から屋外側に向けて張り出される張出周壁部Ｅｂの下部側と上部側とを適宜の手段によって塞いだ構成としてあれば、いかなる構成としてあってもよく、例えば、当該張出周壁部Ｅｂの下部側と上部側とに構造用合板を止着して、この張出周壁部Ｅｂと前記外壁部Ｃａ’との間を、その下部と上部とにおいて塞いであっても、また、当該張出周壁部Ｅｂと外壁部Ｃａ’との間の下部側にあって床張り処理を施し、また上部側にあって屋根や庇等を組み付けるように構成してあってもよい。
【００２５】
また、ここで回り階段Ｂを構成する回り段板Ｂａ’は、当該回り階段Ｂの設置空間に対応して下階Ａｂと上階Ａａとの間における往き来を円滑かつ安全になし得る踏み面寸法、蹴上げ寸法を備える段数及び階段幅を備えたものとして構成されるものであって、かかる条件を満たすものであれば、いかなる形態に構成してあっても良い。
【００２６】
このように構成される建物Ａにあっては、使い勝手が良く、しかも、安全に上り下りに用い得る回り階段Ｂを備えた建物Ａを狭い敷地内に効果的に建築することができる。
【００２７】
また、このように構成される建物Ａにあっては、基礎上にある建物Ａの外壁部Ｃａ’から外方に張り出し状態に備えられる張出部Ｅが回り段板Ｂａ’の突出板部Ｂａ”を都合良く受け入れ、かつ、この受け入れた突出板部Ｂａ”上に当該回り段板Ｂａ’を上り下りするのに都合の良い動作空間Ｅａを備えた構成としてあることから、回り階段Ｂの上り下りに際して、容易に、かつ、円滑に動作方向を反転することができる。
【００２８】
また、このように構成される建物Ａにあっては、回り段板Ｂａ’の突出板部Ｂａ”を受け入れ、かつ、この受け入れた突出板部Ｂａ”上に当該回り段板Ｂａ’を上り下りし得る動作空間Ｅａを備えた張出部Ｅを建物Ａの外壁部Ｃａ’から張り出し状態に設けているにも拘わらず、建物基礎を直線的に設けることができ、当該回り階段Ｂの設置に伴う基礎まわりにおける給排水工事等の各種工事の施工に不具合をもたらすことがない。
【００２９】
また、かかる構成からなる建物Ａでは、外壁Ｃａ面に平面視で弧状等に張り出す張出部Ｅが備えられ、通例、平面的に構成される壁面における建物外観の意匠性を高めることができる。
【００３０】
また、前記張出部Ｅが、建物Ａの基礎上に備えられている外壁部Ｃａ’から屋外側に張り出すように備えられる張出フレーム体Ｆを備えた構成の建物Ａにあっては、この基礎上に備えられている外壁部Ｃａ’から外方に向けて張り出し設けられる張出部Ｅを容易に構成することが可能とされる。
【００３１】
なお、ここで用いられる張出フレーム体Ｆは、回り段板部Ｂａの回り段板Ｂａ’の突出板部Ｂａ”を受け入れ、かつ、この受け入れた突出板部Ｂａ”上に当該回り段板Ｂａ’を上り下りし得る動作空間Ｅａを備えた張出部Ｅを当該建物Ａの基礎上にほぼ垂直に備えられている外壁部Ｃａ’から屋外側に張り出し状態に組み付け備え得る形態を備えるものであれば、いかなる形態からなる張出フレーム体Ｆであってもよく、例えば、基礎上にほぼ垂直の状態で備えられている建物Ａの構造材に対して、当該構造材から屋外側に張り出す各種形態の張出フレーム体、例えば、扁平な長方体状をなす張出フレーム体、角筒状体の周側部の一部を筒軸方向で筒軸を含む面に平行な面でカットして得られる張出フレーム体、円筒状体の周側部の一部を筒軸方向で筒軸を含む面に平行な面でカットして得られる張出フレーム体等、いかなる形態の張出フレーム体として構成してあってもよい。
【００３２】
また、かかる張出フレーム体Ｆは、回り段板Ｂａ’の突出板部Ｂａ”を受け入れ組み付け得る形態としてあり、かつ、この組み込まれた突出板部Ｂａ”の上方に当該回り段板Ｂａ’において上り下り時に都合良く方向転換をなし得る動作空間Ｅａを備えた構成としてあれば、この張出フレーム体Ｆの上部側は、いかなる構成としてあってもよく、例えば、当該張出フレーム体Ｆの備えられる建物Ａにおける上階Ａａの床組位置まで延びるように構成してあっても、さらに、上階Ａａにおける軒下まで延びるように構成してあっても良い。
【００３３】
また、前記張出部Ｅに窓２９を備えることによって、明るさの要請される回り段板部Ｂａに効果的に外からの光を取り入れることができると共に、当該張出部Ｅにおいて都合良く換気することができる。
【００３４】
ついで、図１〜図３に示される建物Ａについて具体的に説明する。
【００３５】
この図示例は、建物Ａの典型例としての木造住宅Ａ’を示しており、下階Ａｂにある廊下、リビングルーム、階段室等の床１１と上階Ａａにある廊下、居室、階段室等の床１５との間を行き来し得る形態に回り階段Ｂを備えた構成としてある。
【００３６】
この図示例に係る回り階段Ｂを備える住宅Ａ’は、外壁Ｃａ側にある回り段板部Ｂａで反転されて上階Ａａと下階Ａｂとの間の行き来に用いられる回り階段Ｂを備えており、この回り段板部Ｂａに備えられる回り段板Ｂａ’が基礎上に垂直に備えられている外壁部Ｃａ’から屋外側に突き出す突出板部Ｂａ”を備えており、この突出板部Ｂａ”を受け入れ、かつ、この受け入れた突出板部Ｂａ”上に当該回り段板Ｂａ’を上り下りし得る動作空間Ｅａを備えた張出部Ｅを当該住宅Ａの基礎上に備えられている外壁部Ｃａ’から屋外側に張り出すように設けてあって、下階Ａｂの床１１から当該住宅Ａ’の外壁Ｃａに向けて回り階段Ｂの下側の直進用階段部Ｂｂ’を構成するように、すなわち、この外壁Ｃａのなす面に直交する向きに設けられている一対の壁Ｄｂ、Ｄｄ間に当該直進用階段部Ｂｂが設けてあり、この直進用階段部Ｂｂの上り下り動作時に向きを反転し得るように当該外壁Ｃａ側に備えられている回り段板部Ｂａと、この回り段板部Ｂａから中間にある前記の一方の壁Ｄｄの上部側の手摺り壁Ｄｄ’と当該手摺り壁Ｄｄ’に平行な壁Ｄｃ、すなわち、前記外壁Ｃａの面に直交する向きに設けられている壁Ｄｃとの間に備えられた上側の直進用階段部Ｂｂ”とを備えた構成としてある。
【００３７】
かかる回り階段Ｂは、各段板１２、蹴込み板１３、回り段板Ｂａ’等の踏み面を構成する手段や、側桁、親柱等の前記段板等の支持手段や、壁、手摺り壁、手摺り等の当該階段の上り下り空間を構成する各種手段等を備えて構成される各種形態の回り階段Ｂとして構成される。
【００３８】
この図示例に係る回り階段Ｂは、かかる外壁Ｃａに向けて直進し、当該外壁Ｃａ側において反転して上り下りをなし得るようにしてある回り階段Ｂの構成に際して、この回り段板部Ｂａの回り段板Ｂａ’の突出板部Ｂａ”、すなわち、前記外壁部Ｃａ’から屋外側に突き出されている突出板部Ｂａ”を受け入れ、かつ、この受け入れた突出板部Ｂａ”上に当該回り段板Ｂａ’を上り下りし得る動作空間Ｅａを備えた張出部Ｅを当該住宅Ａ’の基礎上に備えられている外壁部Ｃａ’から屋外側に張り出すように設けて構成してある。
【００３９】
この図示例にあっては、この張出部Ｅを別段に張出フレーム体Ｆを用意し、この張出フレーム体Ｆを建物躯体側にボルト、ナット等の組み付け具で組み付けて構成するようにしてある。
【００４０】
かかる建物躯体に対して組み付け用いられる張出フレーム体Ｆは、回り段板部Ｂａを構成する各回り段板Ｂａ’の突出板部Ｂａ”を受け入れ組み付ける開口、すなわち、この図示例にあっては、扇形や三角形等に構成される回り段板Ｂａ’における踏み面幅の広い側戸されている当該突出板部Ｂａ”を受け入れ組み付ける開口の両側に起立される一対の柱２１、２１と、この柱２１と柱２１とを連結するようにほぼ弧状に湾曲して水平向きに備えられる下枠材としての下桁２３と、この柱２１と柱２１を連結するようにほぼ弧状に湾曲して水平向きに備えられる上枠材としての上桁２２と、この下桁２３と上桁２２とを所定間隔で連結する複数本の間柱２６とを備え、しかも、この図示例にあっては、当該張出フレーム体Ｆに窓２９、典型的には、腰高窓２９を構成する窓台２７を当該各間柱２６間にほぼ水平向きに組み付けてあると共にこの窓台２７の無い間柱２６間に繋ぎ材２８を組み付けて構成してある。
【００４１】
また、この図示例にかかる張出フレーム体Ｆにあっては、開口の両側に起立状態に備えられる一対の柱２１、２１の取付側の面が外壁Ｃａを構成する柱１０面に都合良く密着した状態で組み付け得るように、平断面形状が概ね菱形をなすようにしてあり、外壁Ｃａの柱１０面に前面側にある面を密着させた状態で、前記下桁２３及び上桁２２に都合良く連続し得る形状に構成してある。
【００４２】
また、この図示例に係る張出フレーム体Ｆにあっては、前記下桁２３上と、上桁２２上に構造用合板２４、２５を張り込み止着してあり、当該張出フレーム体Ｆをボルト、ナット等を用いて外壁Ｃａの柱１０等に直接組み付け用い得る構成としてある。かかる張出フレーム体Ｆを構成する上側に組み付け止着される構造用合板２４は、前記各柱２１、２１上面と、この各柱２１、２１を連結する上桁２２の上面とに密着して組み付けられると共に先端縁を上桁２２に沿った弧状縁をなすように構成してあり、いわゆる円の外周部分の一部を当該円の中心線を含む面に平行な面で切断した態様の弧状部分と、当該弧状部分における直線縁から外壁Ｃａを構成する互いに隣り合っている柱１０、１０間の手前側に延びて当該柱１０間を塞ぐように備えられる長方形状部分とを備えた構成としてある。また、下桁２３上に組み付け止着される構造用合板２５は、当該下桁２３上に都合良く密着して組み付け得る構成としてあり、この下桁２３の張出形状に沿った張出縁部を備えて、いわゆる円の外周部分の一部を当該円の中心線を含む面に平行な面で切断した態様の弧状部分と、この各柱２１、２１間から手前側に向けて外壁Ｃａを構成する互いに隣り合う柱１０、１０間を塞ぐように延設された長方形状部分とを備え、各柱２１、間柱２６を受け入れるカット部を備えた構成としてある。
【００４３】
この図示例に係る住宅Ａ’は、外壁Ｃａに平行な間仕切り壁Ｄａを備えており、この間仕切り壁Ｄａと外壁Ｃａとに直交する態様の一対の壁Ｄｂ、Ｄｃを設けてあり、この一対の壁Ｄｂ、Ｄｃ間のほぼ中央部分に当該壁Ｄｂ、Ｄｃに平行をなし、しかも、外壁部Ｃａ’から屋外側に張り出される張出部Ｅとの間に回り段板部Ｂａを備え得る空間を残した壁Ｄｄが設けてあって、下階Ａｂの床１１から前記一方壁Ｄｂと中央部分にある壁Ｄｄとの間に回り階段Ｂにおける下側の直進用階段部Ｂｂ’を、また、外壁Ｃａに沿って備えられる回り段板部Ｂａで反転されて他方の壁Ｄｃと前記中央部分にある壁Ｄｄ’（Ｄｄ）との間に上階Ａａの床１５に到る当該回り階段Ｂにおける上側の直進用階段部Ｂｂ”が設けてある。
【００４４】
かかる住宅Ａ’に対して、前記構成よりなる張出フレーム体Ｆを当該住宅Ａ’の建築時に、その外壁Ｃａを構成する一対の互いに隣り合っている柱１０、１０間に当該張出フレーム体Ｆの各柱２１を沿わせるようにして当該張出フレーム体Ｆの開口が住宅Ａ’の柱１０、１０間の開口に連通するように柱等の構造材や壁下地材にボルト、ナット等の適宜の取付手段を用いて組み付ける。この図示例にあっては、回り階段Ｂを構成する回り段板Ｂａ’の備え付けに都合が良く、当該回り段板部Ｂａにおける上り下り動作に都合の良い位置となるように当該張出フレーム体Ｆを外壁Ｃａに備えられる張出フレーム体受３１上に下側にある構造合板２５を載せかけ、また、上側にある構造用合板２４を外壁Ｃａを構成する胴差３２上に載せかけると共に、当該張出フレーム体Ｆにおける柱２１を外壁Ｃａを構成する柱１０に組み付けるようにして建物駆体側に張出フレーム体Ｆを備え付ける。
【００４５】
かかる住宅Ａ’に備え付けられる張出フレーム体Ｆは、下階Ａｂの床１１から壁Ｄｂと壁Ｄｄ間に側桁等によって支承組み付けられる各段板１２や蹴込み板１３等を備えて構成される直進用階段部Ｂｂ’の最上段にあって、親柱１４と外壁Ｃａとを結ぶ線分から当該直進用階段側を塞ぐように三角形状に構成された段板１２ａと、回り段板部Ｂａにおいて反転されて上階Ａａの床１５に到るように壁Ｄｄ’と壁Ｄｃとの間に側桁等によって支承組み付けられる各段板１２や蹴込み板１３等を備えて構成される上側の直進用階段部Ｂｂ”の最下段にあって、親柱１４と外壁Ｃａとを結ぶ線分から当該直進用階段部側を塞ぐように三角形状に構成される段板１２ｂとの間に、当該各三角形状の段板１２ａ、１２ｂに連続する回り段板Ｂａ’を、この図示例にあっては、二枚の回り段板Ｂａ’、Ｂａ’を、当該各回り段板Ｂａ’における突出板部Ｂａ”を当該張出フレーム体Ｆの下部側
における内側に受け入れ得るように外壁Ｃａを構成する互いに隣り合う柱１０、１０間に当該張出フレーム体Ｆの開口の両側にある柱２１、２１を位置づけて、当該張出フレーム体Ｆを建物躯体に組み付けてある。
【００４６】
この図示例にあっては、互いに隣合う外壁Ｃａにおける互いに隣り合う柱１０、１０に張出フレーム体Ｆを構成する開口部の両側に備えられている柱２１を密着させるようにして当該張出フレーム体Ｆが建物躯体に組み付けてあり、前記下側の直進用階段部Ｂｂ’における最上段にある三角形状の段板１２ａと、回り段板部Ｂａで反転されて上階Ａａに到る上側の直進用階段部Ｂｂ”の最下段にある三角形状の段板１２ｂとの間に、所定の蹴上げ寸法で２枚の回り段板Ｂａ’を、介物３３等を用いながら、親柱１４と当該張出フレーム体Ｆとの間に掛けわたしの状態で連続するように設けてあり、しかも、この張出フレーム体Ｆに受け入れられた回り段板Ｂａ’の突出板部Ｂａ”上に構成される動作空間Ｅａが、当該回り段板部Ｂａの上り下りを円滑、かつ安全になし得る高さを備えた動作空間Ｅａとしてあり、当該親柱１４と張出フレーム体Ｆ間にわたるように備えられる回り段板Ｂａ’が、当該回り段板部Ｂａにおける上り下り動作を円滑、かつ安全になし得る横幅を備えた構成としてある。
【００４７】
この図示例にあっては、回り階段Ｂにおける回り段板部Ｂａにおいて、親柱１４と張出フレーム体Ｆの柱２１の組み付けられる一対の互いに隣り合っている柱１０よりやや室内側にある壁Ｄｂ、Ｄｃ位置とを結ぶ線分と当該張出フレーム体Ｆの構成する張出部Ｅとが構成する扇形部分を、親柱１４を備える壁Ｄｄの壁芯の仮想線上に延びる線分によって二分した形状の２枚の回り段板Ｂａ’、Ｂａ’を蹴込み板１３等を備えながら所定の蹴込み高さで当該親柱１４と張出フレーム体Ｆの下部側との間に架けわたすように順次に組み付けて回り段板部Ｂａを構成してあり、前記下側の直進用階段部Ｂｂ’と上側の直進用階段部Ｂｂ”とが一連に連続する回り階段Ｂとして構成するようにしてある。
【００４８】
かかる構成からなる住宅Ａ’において窓２９を前記張出フレーム体Ｆにおける窓台２７を備える開口部に備え付けると共に、当該窓２９上に垂木３４ａ等の各種庇構成材で庇３４を設ける等各種建具、窓まわり、階段等の造作を施し、各種の内装及び外装を施すことによって回り階段Ｂを備える住宅Ａ’を構成する。
【００４９】
このように構成される住宅Ａ’では、前記回り段板Ｂａ’の外壁部Ｃａ’から屋外側に突き出されている突出板部Ｂａ”が前記張出フレーム体Ｆで当該住宅Ａ’の外壁Ｃａから屋外側に張り出し状態に設けられた張出部Ｅにおける下部内側に受け入れられた態様に備えられ、この張出部Ｅにおいて受け入れ突出板部Ｂａ”上に構成される動作空間Ｅａを含んで構成される回り段板部における動作空間で、下側の直進用階段部Ｂｂ’と上側の直進用階段部Ｂｂ”との間の行き来に際しての、上り下り動作、特に、上り下り時における反転動作を円滑、かつ、確実になし得るようにしてある。
【００５０】
この結果、住宅Ａ’における基礎上にほぼ垂直に備えられている外壁Ｃａに妨げられること無く、無理なく上り下りをなすことのできる回り階段Ｂを、当該住宅Ａ’における少ない建築スペース内に設けることができる。
【００５１】
例えば、一坪の建築スペース内において、段数が１５段の回り階段Ｂを設けることができる。すなわち、回り階段Ｂの設置される外壁Ｃａと、この外壁Ｃａの内側に平行に備えられている間仕切り壁Ｄａとの間を１８２０ｍｍとし、外壁Ｃａから屋外側に張り出される張出部Ｅの壁芯と当該外壁Ｃａの壁芯間の寸法を２２７．５ｍｍとし、回り階段Ｂの７段目と８段目を回り段板Ｂａ’になすと共に、張出部Ｅの下部側に当該回り段板Ｂａ’における突出板部Ｂａ”を受け入れた状態に備え付けることによって、図１〜図３に示される１５段の段数を有する回り階段Ｂを備えた住宅Ａ’を構成することができる。
【００５２】
このように少ない建物内空間を用いて円滑に上り下り動作をなすことのできる回り階段Ｂを設けることによって、当該建物の設計の自由度を高めることができ、また、建物の外観の意匠性を高めることができる。また、前記張出部Ｅを設けることに伴う建物まわりにおける給排水工事等に何らの影響をもたらすことがない。
【図面の簡単な説明】
【００５３】
【図１】典型的な建物の要部の平断面図
【図２】図１におけるＹ−Ｙ線矢視断面図
【図３】同建物に用いられる張出フレーム体の斜視図
【符号の説明】
【００５４】
Ａ  建物
Ａａ  上階
Ａｂ  下階
Ｂ  回り階段
Ｂａ  回り段板部
Ｂａ’  回り段板
Ｂａ”  突出板部
Ｃａ  外壁
Ｃａ’  外壁部
Ｅ  張出部
Ｅａ  動作空間
Ｆ  張出フレーム体
【図１】
2007182676.tif 000003
【図２】
2007182676.tif 000004
【図３】
2007182676.tif 000005